(57)【要約】【課題】ポータブル型のビデオテープレコーダで、筐体内の温度上昇を抑えて性能の向上を図る。【解決手段】筐体４を構成するサイドパネル２の内面に、ヘッドドラム５の回転ドラム５ａの天面に対向して受熱用フィン６を設ける。この受熱用フィン６は、回転ドラム５ａが回転することで生じる気流に沿った円弧形状のフィン６ａから構成され、熱せられた空気がこのフィン６ａの間を流れることで熱が伝達され、サイドパネル２の表面から放熱できるようにする。【選択図】        図１
2004310882.tif 000002
【特許請求の範囲】
【請求項１】
回転ヘッドドラムで走行しているテープ状記録媒体を走査することによって情報信号の少なくとも記録または再生を行う情報処理装置において、
前記回転ヘッドドラムを収納した筐体の前記回転ヘッドドラムと対向する部位に、前記回転ヘッドドラムの回転によって生じる気流に沿った形状の受熱部材を突出形成した
ことを特徴とする情報処理装置。
【請求項２】
前記受熱部材は、少なくとも円弧形状を有するフィンから構成した
ことを特徴とする請求項１記載の情報処理装置。
【請求項３】
前記受熱部材は、少なくとも円弧形状を有するフィンを、同心円上に複数並べて構成した
ことを特徴とする請求項１記載の情報処理装置。
【請求項４】
前記受熱部材は、前記筐体と一体成形で構成した
ことを特徴とする請求項１記載の情報処理装置。
【請求項５】
前記回転ヘッドドラムの天面に、前記回転ヘッドドラムとともに回転して気流を発生させる気流発生手段を備えた
ことを特徴とする請求項１記載の情報処理装置。
【請求項６】
前記気流発生手段は、前記回転ヘッドドラムの天面に取り付けられ、この回転ヘッドドラムとともに回転する実装基板である
ことを特徴とする請求項５記載の情報処理装置。
【発明の詳細な説明】
【０００１】
【発明の属する技術分野】
本発明は、回転ヘッドドラムでテープ状の記録媒体に情報信号の少なくとも記録または再生を行う情報処理装置に関する。詳しくは、回転ヘッドドラムを収納する筐体の回転ヘッドドラムと対向する部位に、回転ヘッドドラムが回転することで発生する気流に沿った形状の受熱部材を設けることで、回転ヘッドドラム近傍の熱を効率良く筐体に伝達して、筐体内の温度上昇を抑えたものである。
【０００２】
【従来の技術】
カセットに収納されたテープ状の記録媒体である磁気テープに対して情報信号の記録または再生を行う情報処理装置として、磁気ヘッドを備え、かつ傾斜している円筒状のヘッドドラムにテープを巻き付けて情報信号の記録再生を行ういわゆるヘリカルスキャン方式を採用した装置がある。このような装置としては、映像を記録再生するビデオテープレコーダ等の装置がある。
【０００３】
ビデオテープレコーダでは、記録再生する情報信号のデジタル化、記録密度の向上で、電気的回路規模が大きくなる傾向にある。これにより、情報信号を処理するＩＣ（ｉｎｔｅｇｒａｔｅｄ  ｃｉｒｃｕｉｔ）等での消費電力が大きくなり、これに伴い発熱量が大きくなる。このため、ビデオテープレコーダの筐体内の温度も上昇する傾向にある。
【０００４】
ビデオテープレコーダで筐体内の温度が上昇すると、ヘッドドラムを介して磁気テープに熱が伝わる。磁気テープの温度が上昇すると、磁気特性や耐久性が劣化して、磁気テープ本来の性能を得ることができなくなる状況が生じてくる。
【０００５】
このため、ファン等を用いた強制冷却手段を設け、熱せられた筐体内の空気を強制的に筐体の外部へ排出するようにして、筐体内の温度上昇を防ぐようにした装置が考えられている（例えば、特許文献１参照。）。
【０００６】
【特許文献１】
特開２０００−２５１４６２号公報
【０００７】
【発明が解決しようとする課題】
ポータブル型のビデオテープレコーダでは、使い勝手の向上等を目的として、筐体が小さくなる傾向にある。そして、筐体が小さくなる一方で、ＩＣ等からの発熱が大きくなると、筐体内の温度上昇が大きくなるので、一層の熱対策が必要となってくる。
【０００８】
しかしながら、ポータブル型のビデオテープレコーダでは、屋外での使用を考慮すると、粉塵等が筐体内に侵入しにくい構成とする必要がある。よって、テープ走行系が収納される部位は密閉構造とする必要があり、筐体に排気のための開口部が必要となる強制冷却手段が使えないという問題があった。
【０００９】
本発明は、このような課題を解決するためになされたもので、筐体に排気のための開口部を設けることなく、筐体内の温度上昇を抑えることができる情報処理装置を提供することを目的とする。
【００１０】
【課題を解決するための手段】
上述した課題を解決するため、本発明に係る情報処理装置は、回転ヘッドドラムで走行しているテープ状記録媒体を走査することによって情報信号の少なくとも記録または再生を行う情報処理装置において、回転ヘッドドラムを収納した筐体の回転ヘッドドラムと対向する部位に、回転ヘッドドラムの回転によって生じる気流に沿った形状の受熱部材を突出形成したものである。
【００１１】
本発明に係る情報処理装置によれば、情報信号の記録または再生のため回転ヘッドドラムが回転すると、回転ヘッドドラムの天面付近には円を描くような気流が生じる。筐体内の熱せられた空気は、この気流によって受熱部材に沿って流れることで、熱が受熱部材に移動する。
【００１２】
ここで、筐体の回転ヘッドドラムと対向する部位に受熱部材を突出形成することで、筐体のサイズを大きくすることなく表面積を増加させているが、この受熱部材が、回転ヘッドドラムの回転で生じる気流に沿った形状であるので、熱せられた空気が滞留することなく流れ、熱が効率良く受熱部材に伝達される。
【００１３】
これにより、筐体の表面から効率良く放熱が行え、筐体内の温度上昇を抑えることができる。したがって、筐体内の温度上昇による性能の低下を抑えることができる。
【００１４】
【発明の実施の形態】
以下、図面を参照して本発明の情報処理装置の実施の形態について説明する。図１は本実施の形態の情報処理装置１の構成例を示す一部破断斜視図、図２は本実施の形態の情報処理装置１の一部破断正面図、図３は本実施の形態の情報処理装置１の外観斜視図である。
【００１５】
本実施の形態の情報処理装置１は、例えばポータブル型のビデオテープレコーダで、本例では情報信号の記録と再生の両方が行える装置を例に説明する。なお、情報信号の記録のみを行える装置や情報信号の再生のみを行える装置であってもよい。情報処理装置１は、サイドパネル２やメインケース３等から構成される筐体４内にヘッドドラム５を備える。このヘッドドラム５と対向するサイドパネル２の内側に受熱部材である受熱用フィン６を備え、ヘッドドラム５の近傍の熱を効率良くサイドパネル２に伝達して、サイドパネル２の表面から放熱できるようにしたものである。
【００１６】
ここで、図１および図２はヘッドドラム５および受熱用フィン６を図示するため、図１はサイドパネル２の一部を破断して内部構造の概要を図示し、図２はサイドパネル２およびメインケース３の一部を破断して内部構造の概要を図示している。
【００１７】
まず、ヘッドドラム５の構成について説明すると、ヘッドドラム５は円筒形状を有し、回転ドラム５ａと固定ドラム５ｂとから構成される。固定ドラム５ｂは図２に示すようにメカシャーシ７に所定の傾斜を付けて取り付けられる。回転ドラム５ａは固定ドラム５ｂに対して回転自在に支持され、図示しないモータに駆動されて回転する。この回転ドラム５ａには、２個ないし複数個の図示しない磁気ヘッドが設けられる。
【００１８】
この回転ドラム５ａの天面には、円板形状の実装基板８が取り付けられる。この実装基板８には記録アンプや再生アンプを構成するＩＣ８ａ等が実装されており、実装基板８は回転ドラム５ａとともに回転する構造となっている。
【００１９】
次に、受熱用フィン６の構成について説明すると、受熱用フィン６は、この回転ドラム５ａの天面と対向する位置に設けられる。図４は受熱用フィン６の構成例を示すサイドパネル２の斜視図である。なお、この図４はサイドパネル２の内側を示している。受熱用フィン６は、サイドパネル２の内側に設けた複数のリブ状のフィン６ａから構成され、各フィン６ａは円弧形状である。また、受熱用フィン６は、図１および図２の破断面に示すようにサイドパネル２に一体成型されており、各フィン６ａはヘッドドラム５方向に突出している。ここで、サイドパネル２の材質は、一例としてアルミニウムである。なお、受熱用フィン６をサイドパネル２との一体成形品とすることで、組立工数の増加を抑える等によって、受熱用フィン６を設けたことによるコストアップを防ぐことができる。
【００２０】
このサイドパネル２は、図３に示すように、メインケース３に図示しないネジ等によって固定され、筐体４を構成する。なお、サイドパネル２やメインケース３の形状は一例であって、他の形状でもよい。
【００２１】
図５はヘッドドラム５に対する受熱用フィン６の配置例を示す平面図である。なお、この図５はサイドパネル２を外して情報処理装置１の内部構造を示しているが、ヘッドドラム５と受熱用フィン６の位置関係を示すため、受熱用フィン６を二点鎖線で示している。受熱用フィン６は、回転ドラム５ａの軸をほぼ中心とした同心円上にフィン６ａを配置したもので、本実施の形態では、フィン６ａを４列、部分的には３列および５列に並べてある。そして、外側のフィン６ａは、回転ドラム５ａの径より大きな径を持つ。また、図１および図２の破断面に示すように、受熱用フィン６は、内側のフィン６ａより外側のフィン６ａの方が、サイドパネル２の内面からの突出高を高くしてある。
【００２２】
図１等に示すように、回転ドラム５ａの天面には再生アンプや記録アンプを構成するＩＣ８ａ等が実装された実装基板８が取り付けられているが、実装基板８はＩＣ８ａ等が実装されることで表面に凹凸があることから、回転ドラム５ａが回転してこの回転ドラム５ａとともに実装基板８が回転すると、実装基板８が気流発生手段となって、ヘッドドラム５の天面付近では円を描くような空気の流れが生じる。
【００２３】
図５に示すように、受熱用フィン６は、回転ドラム５ａの軸をほぼ中心とした円弧形状のフィン６ａから構成したので、受熱用フィン６は、回転ドラム５ａが回転することで発生する空気の流れに沿った形状となっている。
【００２４】
なお、受熱用フィン６は円形でもよいが、筐体４内の部品の配置等に対応して円弧形状としてあり、図４に示すように、必要に応じて切り欠きも設けられている。また、受熱用フィン６の形状としては、例えば螺旋状でもよい。
【００２５】
次に、情報処理装置１のテープ走行系の構成および動作について説明する。図６は情報処理装置１の内部構成例を示す平面図で、情報処理装置１におけるテープ走行系を示している。
【００２６】
情報処理装置１には、ヘッドドラム５を両側から挟むように一対のスライド部材９，１０が設けられる。これらスライド部材９，１０は、メカシャーシ７に設けた図示しない一対のガイド溝にそれぞれスライド可能に取り付けられる。
【００２７】
一対のスライド部材９，１０は、それぞれテープガイド１１と傾斜ガイド１２とを有し、互いに連動してヘッドドラム５に対して進退移動可能となっており、磁気テープＴをヘッドドラム５に巻き付けるローディング動作と、その巻き付けを解除するアンローディング動作とを行うことができる。
【００２８】
この磁気テープＴは、その一側が供給側リール１３に巻かれ、他側が巻取り側リール１４に固定されて、図６においては二点鎖線で示しているカセット１５内に収容されている。これら供給側リール１３と巻取り側リール１４は、カセット１５に対して回転可能に取り付けられる。このカセット１５に収容された磁気テープＴは、ローディング時において、一対のスライド部材９，１０のスライド動作を介して一対のテープガイド１１と傾斜ガイド１２とによってカセット１５から引き出され、ヘッドドラム５に巻き付けられる。ここで、ヘッドドラム５を通過した磁気テープＴは、ピンチローラ１６によってキャプスタン１７に圧接される。
【００２９】
そして、情報信号の記録または再生時は、ヘッドドラム５の回転ドラム５ａを矢印ａ方向に回転させながら、キャプスタン１７を図示しないキャプスタンモータで回転させることにより磁気テープＴを矢印ｂ方向に走行させ、回転ドラム５ａに設けた図示しない磁気ヘッドによって磁気テープＴを走査しながら情報信号の記録または再生を行う。
【００３０】
なお、テープ走行系には、他にガイドポストやテンションガイド等のローラ群、音声ヘッド等が設けられる。また、情報処理装置１には、カセット１５を筐体４内に出し入れするための図示しない機構が設けられる。さらに、筐体４には、カセット１５の出し入れを行うため、図１に示すように開閉自在なカバー４ａが設けられる。これに対して、筐体４のテープ走行系が収納される部位は、埃等の進入を防ぐため、サイドパネル２およびメインケース３によって密閉構造としてある。なお、カバー４ａを閉じることで、カセット１５が収納される部位も密閉構造となる。
【００３１】
上述したように、磁気テープＴに対して情報信号の記録あるいは再生を行う場合、磁気テープＴを走行させながら、ヘッドドラム５の回転ドラム５ａを回転させる。回転ドラム５ａの天面には再生アンプや記録アンプを構成するＩＣ８ａ等が実装された実装基板８が取り付けられているので、情報信号の記録、再生時には、この実装基板８が発熱する。
【００３２】
さて、回転ドラム５ａが回転すると、実装基板８の表面はＩＣ８ａ等が実装されることで凹凸があることから、ヘッドドラム５の天面付近では円を描くような空気の流れが生じる。
【００３３】
サイドパネル２のヘッドドラム５と対向する部位は、受熱用フィン６を設けることで、表面積を増加させてある。実装基板８等で発生した熱はこの受熱用フィン６に伝達されるが、この受熱用フィン６は、回転ドラム５ａの回転により発生する空気の流れを妨げないような形状であることから、加熱された空気は、受熱用フィン６を構成するフィン６ａの間を回転ドラム５ａの回転に応じた流速で流れ、受熱用フィン６へ効率良く熱が伝達される。そして、受熱用フィン６へ伝達された熱はサイドパネル２の表面から放熱される。なお、受熱用フィン６が、回転ドラム５ａの回転で発生する空気の流れを遮るような形状であると、空気の滞留が起こり、効率良く熱を受熱用フィン６に伝達することができなくなる。
【００３４】
図７は情報処理装置１内部の温度分布の解析例を示す説明図である。この図７は、ヘッドドラム５の周囲の温度分布を断面で示すものである。ヘッドドラム５の磁気テープが接触する部分の近傍の温度は、本実施の形態の構成では４２度弱であった。これに対して、受熱用フィンを持たない従来の構成では、ヘッドドラムの磁気テープが接触する部分の近傍の温度は４３度強あり、受熱用フィン６を設けることで、ヘッドドラム５の近傍の温度上昇が抑えられていることが判る。また、筐体内の他の部位に関しても、本実施の形態の構成では、従来例と比較して２〜３度程度温度が低く、温度上昇が抑えられていることが判る。これにより、テープ走行系が密閉構造であっても、内部の冷却が効果的に行われることがわかる。
【００３５】
したがって、ヘッドドラム５から磁気テープＴに熱が伝わり、磁気テープが劣化することで発生する性能の低下を抑えることができる。よって、筐体４のサイズを小形化し、かつ密閉構造を有するポータブル型のビデオテープレコーダを、性能を落とすことなく提供できる。
【００３６】
ここで、受熱用フィン６はヘッドドラム５の径より大きな径の円弧状に形成し、内側のフィン６ａより外側のフィン６ａの方を高さを高くして外側に行くほど表面積を大きくすることで、サイドパネル２のヘッドドラム５と対向する部位の全面にわたり均等に熱が伝わり、サイドパネル２の表面の一部が高温になってしまうことを防いでいる。
【００３７】
また、回転ドラム５ａの天面に、気流発生手段としてさらにファンを設けることで、より積極的に気流が発生するようにすれば、より効率良く受熱用フィン６に熱を伝達することができる。
【００３８】
【発明の効果】
以上説明したように、本発明は、回転ヘッドドラムで走行しているテープ状記録媒体を走査することによって情報信号の少なくとも記録または再生を行う情報処理装置において、回転ヘッドドラムを収納した筐体の回転ヘッドドラムと対向する部位に、回転ヘッドドラムの回転によって生じる気流に沿った形状の受熱部材を突出形成したものである。
【００３９】
これにより、受熱部材に効率良く熱を伝達して、筐体の表面から放熱が行えるので、筐体内の温度上昇を抑えることができる。したがって、筐体内の温度上昇による性能の低下を抑えることができる。
【図面の簡単な説明】
【図１】本実施の形態の情報処理装置の構成例を示す一部破断斜視図である。
【図２】本実施の形態の情報処理装置の一部破断正面図である。
【図３】本実施の形態の情報処理装置の外観斜視図である。
【図４】受熱用フィンの構成例を示すサイドパネルの斜視図である。
【図５】ヘッドドラムに対する受熱用フィンの配置例を示す平面図である。
【図６】情報処理装置の内部構成例を示す平面図である。
【図７】情報処理装置内部の温度分布の解析例を示す説明図である。
【符号の説明】
１・・・情報処理装置、２・・・サイドパネル、３・・・メインケース、４・・・筐体、５・・・ヘッドドラム、５ａ・・・回転ドラム、５ｂ・・・固定ドラム、６・・・受熱用フィン、６ａ・・・フィン、７・・・メカシャーシ、８・・・実装基板、Ｔ・・・磁気テープ
【図１】
2004310882.tif 000003
【図２】
2004310882.tif 000004
【図３】
2004310882.tif 000005
【図４】
2004310882.tif 000006
【図５】
2004310882.tif 000007
【図６】
2004310882.tif 000008
【図７】
2004310882.tif 000009